(57)【特許請求の範囲】
【請求項１】
容器と、
前記容器に配置され、関心ある標的に結合するためのプローブと、
前記容器中の物質を循環させるための循環部材と、
光源と、
受光器と、
前記受光器に所定波長の光を受光させるための光選択ユニットと、
その大きさが前記受光器により受光された光の量を反映する電気シグナルを生成するための検出装置とを含み、
前記容器が前記光源と前記受光器の間に位置し、
前記容器を、前記プローブと前記光源から射出された光の進路が前記容器内で異なる領域中に位置するように構成し、
前記容器の内底が層構造で構成されておらず、
前記光が前記プローブと重ならないように構成され、
前記プローブが前記容器の上部に配置され、前記光の前記進路が前記容器の下部に位置するか、又は、前記プローブが前記容器の上部の第１の領域に配置され、前記光の前記進路が前記容器の前記上部の第２の領域に位置し、前記第２の領域が前記第１の領域と異なる、センサー。
【請求項２】
前記受光器が、前記光を受光するためのスリット、ミラー、格子及び直線状の電荷結合素子を含む前記光選択ユニットを含み、
前記ミラーが前記受光された光を前記格子上に反射するように構成され、前記格子が前記受光された光を複数の異なる波長の光に分け、前記光を前記直線状の電荷結合装置に射出するように構成され、
前記検出装置が、前記受光器により受光された、前記所定波長を有する前記光の１つの強度を測定し、前記光における前記１つの光の前記強度に正比例する前記電気シグナルを生成するための光電気検出装置回路を含む請求項１に記載のセンサー。
【請求項３】
前記受光器が前記光を受光するためのフォトダイオードチップを含み、
前記検出装置が、前記受光器により受光された前記光の強度を測定し、前記受光器により受光された前記光の前記強度に正比例する前記電気シグナルを生成するための光電気検出装置回路を含む請求項１に記載のセンサー。
【請求項４】
前記光選択ユニットが前記光源と前記容器の間又は前記容器と前記受光器の間に配置される光学フィルターを含む請求項３に記載のセンサー。
【請求項５】
前記受光器により受光されたシグナルを増幅するように構成される増幅器を更に含み、しかも／又は
前記光源から射出された前記光が約２００ｎｍ〜約８００ｎｍの波長を含み、しかも／又は
前記所定波長が前記関心ある標的と関連ある請求項１〜４のいずれか一項に記載のセンサー。
【請求項６】
前記プローブがＤＮＡ、ＲＮＡ、タンパク質、抗体（ａｎｔｉｂｏｄｙ）、抗体断片、アプタマー（ａｐｔａｍｅｒ）、抗原（ａｎｔｉｇｅｎ）又はエピトープ（ｅｐｉｔｏｐｅ）を含み、しかも／又は
前記関心ある標的が生体分子である請求項１〜５のいずれか一項に記載のセンサー。
【請求項７】
前記標的がウイルス、タンパク質、核酸（ｎｕｃｌｅｉｃ ａｃｉｄ）、炭水化物、脂質（ｌｉｐｉｄ）、ハプテン（ｈａｐｔｅｎ）又は毒素（ｔｏxｉｎ）を含み、しかも／又は
前記プローブが約１００ピコニュートン（ｐＮ）〜約５００ピコニュートンの親和性で前記関心ある標的に結合する請求項１〜６のいずれか一項に記載のセンサー。
【請求項８】
前記循環部材が、
前記容器中に配置される推進部材と、
前記推進部材に電気接続され、前記推進部材を駆動するためのモータとを更に含む請求項１〜７のいずれか一項に記載のセンサー。
【請求項９】
前記循環部材が、
自由に前記容器中に配置される第１の磁石と、
第２の磁石を含み、前記第１の磁石を駆動するためのモータとを更に含む請求項１〜７のいずれか一項に記載のセンサー。
【請求項１０】
前記容器が、
基板と、
前記基板上に配置される材料とを更に含み、
前記プローブが前記材料上に配置される請求項１〜９のいずれか一項に記載のセンサー。
【請求項１１】
前記材料が金属を含む請求項１０に記載のセンサー。
【請求項１２】
前記材料が前記基板上にフィルムを含む請求項１０又は１１に記載のセンサー。
【請求項１３】
前記フィルムは、実質的に均一であるか均一ではない厚さを有する請求項１２に記載のセンサー。
【請求項１４】
前記フィルムは、５ｎｍ〜２００ｎｍの範囲内の実質的に均一である厚さ又は０．５ｎｍ〜３０ｎｍの間に変化する均一ではない厚さを有する請求項１２に記載のセンサー。
【請求項１５】
前記材料が前記基板上に配置されるロッドアレイ（ｒｏｄ ａｒｒａｙ）を含む請求項１０又は１１に記載のセンサー。
【請求項１６】
前記ロッドアレイのロッドの大きさが前記プローブの大きさ及び前記プローブが結合する関心ある標的の大きさと関連ある請求項１５に記載のセンサー。
【請求項１７】
前記ロッドアレイのロッドが２００ｎｍ〜９００ｎｍの長さ、２００ｎｍ〜９００ｎｍの幅及び１５ｎｍ〜１５００ｎｍの高さを有する請求項１５に記載のセンサー。
【請求項１８】
容器と、
前記容器中に配置され、関心ある標的に結合するためのプローブと、
前記容器中の物質を循環させるための循環部材と、
所定波長の光を射出するための光源と、
受光器と、
その大きさが前記受光器により受光された光の量を反映する電気シグナルを生成するための検出装置と、
前記容器が前記光源と前記受光器の間に位置し、
前記容器を、前記プローブと前記光源から射出された前記光の進路が前記容器内で異なる領域中に位置するように構成し、
前記容器の内底が層構造で構成されておらず、
前記光が前記プローブと重ならないように構成され、
前記プローブが前記容器の上部に配置され、前記光の前記進路が前記容器の下部に位置するか、又は、前記プローブが前記容器の上部の第１の領域に配置され、前記光の前記進路が前記容器の前記上部の第２の領域に位置し、前記第２の領域が前記第１の領域と異なる、センサー。
【発明の詳細な説明】
【技術分野】
【０００１】
本発明は、センサーに関し、より具体的には、関心ある標的を結合するためのセンサー装置に関する。
【背景技術】
【０００２】
生物学的センサーは、生体分子と標的分子との相互作用によりこの標的を検出するための分析器具である。培養（ｃｕｌｔｕｒｉｎｇ）又はポリメラーゼ連鎖反応（ｐｏｌｙｍｅｒａｓｅ  ｃｈａｉｎ  ｒｅａｃｔｉｏｎ；ＰＣＲ）に比べ、生物学的センサーは、標的分子の存在を比較的短期間で検出することができる。ある生物学的センサーは、クロマトグラフィーによる免疫分析手法（ｃｈｒｏｍａｔｏｇｒａｐｈｉｃ  ｉｍｍｕｎｏａｓｓａｙ）を用いる。しかし、これらのクロマトグラフィーによる免疫分析手法に基づく生物学的センサーには選択（ａｄｏｐｔｉｏｎ）問題がある。例えば、大多数のクロマトグラフィーによる免疫分析手法に基づく生物学的センサーは、感染症／疾患の後期後に患者により生成された抗体（ａｎｔｉｂｏｄｙ）を検出する。
【発明の概要】
【０００３】
本発明のある実施形態は、全般的には関心ある標的を検出するためのセンサーに関してよい。実例的なセンサーは、容器と、この容器中に配置され、関心ある標的に結合するためのプローブと、この容器中の物質を循環させるための循環部材と、光源と、受光器と、この受光器に所定波長の光を受光させるための光選択ユニットと、電気シグナルを生成するための検出装置とを含んでよい。この電気シグナルの大きさは、この受光器により受光された光の量を反映する。この容器がこの光源とこの受光器の間に位置する。なお、この容器を、このプローブとこの光源から射出された光の進路がこの容器内で異なる領域中に位置するように構成する。
【０００４】
本発明の他のある実施形態は、全般的には関心ある標的を検出するためのセンサーに関してよい。実例的なセンサーは、容器と、この容器中に配置され、関心ある標的に結合するためのプローブと、この容器中の物質を循環させる循環部材と、所定波長の光を射出するための光源と、受光器と、電気シグナルを生成するための検出装置とを含んでよい。この電気シグナルの大きさは、この受光器により受光された光の量を反映する。この容器がこの光源とこの受光器の間に位置し、この容器を、このプローブとこの光源から射出されたこの光の進路がこの容器内で異なる領域中に位置するように構成する。
【０００５】
上記発明の概要は説明のための例示に過ぎず、いかなる方式で本発明を制限することを旨とするものでもない。本発明の他の態様、実施形態及び特徴は、添付図面及び以下の実施形態を参照することにより更に明らかになるであろう。
【図面の簡単な説明】
【０００６】
【図１Ａ】関心ある標的（例えば、生体分子）を検出するためのセンサーの例示的な実施形態を示す。
【図１Ｂ】関心ある標的（例えば、生体分子）を検出するためのセンサーの別の例示的な実施形態を示す。
【図１Ｃ】関心ある標的（例えば、生体分子）を検出するためのセンサーの更に別の例示的な実施形態を示す。
【図２Ａ】関心ある標的（例えば、生体分子）を検出するためのセンサーの容器の例示的な実施形態を示す。
【図２Ｂ】関心ある標的（例えば、生体分子）を検出するためのセンサーの容器の別の例示的な実施形態を示す。
【図２Ｃ】関心ある標的（例えば、生体分子）を検出するためのセンサーの容器の更に別の例示的な実施形態を示す。
【図３】関心ある標的（例えば、生体分子）を検出するためのセンサーの例示的な実施形態を示す。
【図４Ａ】関心ある標的（例えば、生体分子）を検出するためのセンサーの例示的な実施形態を示す。
【図４Ｂ】関心ある標的（例えば、生体分子）を検出するためのセンサーの例示的な実施形態を示す。
【図４Ｃ】関心ある標的（例えば、生体分子）を検出するためのセンサーの例示的な実施形態を示す。
【図４Ｄ】関心ある標的（例えば、生体分子）を検出するためのセンサーの例示的な実施形態を示す。
【図５】センサーを作製するための方法の例示的な実施形態を示す。
【図６Ａ】センサーによる感染患者から採取した１０％に希釈した試料中のエンテロウイルス７１（Ｅｎｔｅｒｏｖｉｒｕｓ  ７１）の検出中のシグナル強度を示すグラフである。
【図６Ｂ】センサーによる感染患者から採取した１０％に希釈した試料中のエンテロウイルス７１の検出中のシグナル強度を示すグラフである。
【図６Ｃ】センサーによる健常者から採取した対照試料中のエンテロウイルス７１の検出中のシグナル強度を示すグラフである。
【図７Ａ】センサーによる感染患者から採取した１０％に希釈した試料中のインフルエンザＡ（Iｎｆｌｕｅｎｚａ  Ａ）の検出中のシグナル強度を示すグラフである。
【図７Ｂ】センサーによる感染患者から採取した１０％に希釈した試料中のインフルエンザＡの検出中のシグナル強度を示すグラフである。
【図７Ｃ】センサーによる健常者から採取した対照試料中のインフルエンザＡの検出中のシグナル強度を示すグラフである。
【図８Ａ】センサーによる感染患者から採取した１０％に希釈した試料中のインフルエンザＢ（Iｎｆｌｕｅｎｚａ  Ｂ）の検出中のシグナル強度を示すグラフである。
【図８Ｂ】センサーによる感染患者から採取した１０％に希釈した試料中のインフルエンザＢの検出中のシグナル強度を示すグラフである。
【図８Ｃ】センサーによる健常者から採取した対照試料中のインフルエンザＢの検出中のシグナル強度を示すグラフである。添付図面は全て本発明の実施形態に従い配置されている。
【発明を実施するための形態】
【０００７】
以下の実施形態においては、本発明の一部を構成する添付図面が参照される。図面では、別段の記載がない限り、類似の記号は概して類似の素子を示す。実施形態、添付図面及び請求項に記載される例示的な実施形態は、本発明を限定するためのものではない。本明細書に提示する主題の精神又は範囲から逸脱せずに、その他の実施形態を用いてよく、その他の変更を行ってよい。本明細書で全般的に説明し、添付図面を用いて説明する本発明の態様が、多種多様な構成に改変され、置き換えられ、組み合わされ、設計されうることは容易に理解され、それら全ては明示的に計画され、本発明の一部を構成する。
【０００８】
本発明では、用語「プローブ」は、全般的には関心ある標的（例えば、生体分子）に結合能がある物質（例えば、生体分子）を意味する。例えば、プローブの標的に対する結合親和性は、約１００ピコニュートン（ｐＮ）から約５００ピコニュートンであってよい。限定されないプローブの例としては、抗体、関心ある標的への結合能力を保持する抗体断片、核酸（例えば、ＤＮＡ、ＲＮＡ、アプタマー（ａｐｔａｍｅｒ））、抗原（ａｎｔｉｇｅｎ）及び酵素があげられる。本明細書で説明するセンサーでは、関心ある単一の標的を認識する単一のプローブを使用してよく、又は関心ある単一の標的又は複数の標的を認識する２つ以上のプローブを使用してよい。
【０００９】
用語「標的」は、全般的には本明細書で説明するセンサーを用いて検出可能なあらゆる分子を意味する。標的は生体分子を含んでよいが、これに限定されない。本明細書で説明するセンサーにおいて検出可能な標的の例としは、生体分子（例えば、ウイルス、タンパク質、核酸、炭水化物、脂質）及びその他の種類の分子（例えば、小分子）、例えばハプテン及び毒素があげられるがこれらに限定されない。ある実施形態では、標的は体液及び／又は体組織中に存在する生体分子である。
【００１０】
ある実施形態では、関心ある標的（例えば、生体分子）を検出するためのセンサーは、光源と、容器と、この容器内の物質を循環させるための循環部材と、受光器により受光された光の量に比例する電気シグナルを生成する光検出装置がある受光器とを含む。この容器の少なくとも１つの内面は、この容器表面に配置される材料上に固定されるプローブを含む。この光源は、容器中の所定領域を通過し、最終的に光検出装置に到達する光を生成する。光が通過しようとする容器におけるこの所定領域は、容器におけるプローブと重ならない空間である。この光は、特定波長のものであってよい。検出対象となる標的に応じて、この特定波長は変化してよい。この特定波長は、実施可能なあらゆる技術的手法により決定されてよい。ある実施形態では、この特定波長は、可視光スペクトラム又は紫外（ＵＶ）光スペクトラムを用いて標的をスキャンして決定される。可視光スペクトラムにおける標的の最大吸収波長はこの特定波長であってよい。例えば、エンテロウイルス７１（ｅｎｔｅｒｏｖｉｒｕｓ  ７１）、インフルエンザＡ（ｉｎｆｌｕｅｎｚａ  Ａ）ウイルス及びインフルエンザＢ（ｉｎｆｌｕｅｎｚａ  Ｂ）ウイルスの最大吸収波長はいずれも、可視光スペクトラムで約５６０ｎｍであり、比較的に大きい吸収波長は紫外スペクトラムで約２８０ｎｍである。アデノウイルス（ａｄｅｎｏｖｉｒｕｓ）の最大吸収波長は可視光スペクトラムで約３４０ｎｍであり、比較的に大きい吸収波長は紫外スペクトラムで約２８０ｎｍである。
【００１１】
ある実施形態では、光源は、可視光又は紫外光を生成してよい。容器に入る光が特定波長をもつように、光源と容器の間に光学フィルターが設置されてよい。若しくは、光検出装置に入る光が特定波長をもつように、容器と光検出装置の間に光学フィルターが設置されてよい。若しくは、容器を通過した可視光から特定の波長を有する単色光を生成してこの単色光が光検出装置に入ることができるようにするために、ある光学素子（例えば、スリット、格子、ミラー、及び直線状の電荷結合素子）が容器と光検出装置の間に設置されてよい。若しくは、光源も単色光源であってよい。
【００１２】
ある実施形態では、この容器は、基板、この基板上に配置される材料及びこの材料上に配置される１以上のプローブを含む。この１以上のプローブは、この材料上に固定されている。プローブは、生物学的物質（例えば、抗体、抗体断片、核酸、アプタマー、ハプテン又は酵素）又は関心ある標的への結合能があるあらゆる物質であってよい。この材料は、プローブと適合性があり、プローブをこの材料上に固定することができる。この材料は、例えば、金属（例えば、金、銀、銅及びニッケル）であってよい。この基板は、材料をその上面に配置することが技術的に可能で、本明細書で説明する関心ある標的の検出を妨げないあらゆる組成で構成されていてよい。適切な基板の例としては、ガラス、金属、シリコン又はポリマーがあげられるが、これらに限定されない。
【００１３】
この材料は、プローブを堆積できる表面積を増加するためのパターンを含んでよい。ある実施形態では、このパターンは、基板上にコーティングされたフィルムであってよい。その他の実施形態では、このコーティングされたフィルムはアニール処理されてよい。アニール処理は、コーティングされたフィルムの表面を不均一にする。不均一な表面は、プローブを堆積できるための表面積を増加することができる。
【００１４】
ある実施形態では、このパターンは、基板上に配置された金属ロッドアレイであってよい。この金属ロッドアレイの三次元属性は、プローブを堆積できるための表面積を増加することもできる。
【００１５】
プローブは、材料との１以上の化学的結合（例えば、共有結合）により材料上に配置されるか又は固定される。プローブは、センサーにより検出されるべき標的と、「鍵と鍵穴」の関係をつくってよい。例えば、プローブはＤＮＡ、ＲＮＡ、タンパク質、抗体、抗体断片、アプタマー、抗原又は酵素であってよい。ある実施形態では、プローブは抗体で、標的はこの抗体が結合する抗原である。
【００１６】
循環部材は、容器中の物質を循環させて標的（存在する場合）をプローブへ推進するように構成されている。ある実施形態では、循環部材は、容器中に配置される第１の磁石と、容器の壁の付近で容器の外に配置されるモータに結合する第２の磁石とを含んでよい。該モータがこの第２の磁石を駆動して回転させる際に、容器中のこの第１の磁石も回転する。別の実施例では、循環部材は、推進部材を含んでよく、この推進部材が容器内側の壁に取り付けられ、この推進部材を駆動するためのモータに電気接続される。
【００１７】
標的を含む可能性のある試料がセンサー内に導入され、プローブ上を流れる。この試料中に標的が存在していれば、標的が容器表面に配置される材料上に固定されるプローブに結合するため、循環部材によって容器中の物質を循環させる前に容器における所定領域を通過する光子の量は、循環部材によって容器中の物質を循環させた後に容器における所定領域を通過する光子の量と異なる可能性がある。標的がこの試料中に存在していなければ、容器の所定領域における試料の密度が循環部材によって容器中の物質を循環させる前及び後に変化しないため、容器における所定領域を通過する光子の量は実質的に同じ状態に留まる。
【００１８】
プローブと光源から射出された光の進路が容器内で異なる領域に位置する。ある実施形態では、プローブが容器の上部に配置され、光が通過する容器の所定領域がプローブを配置していない容器下部に位置してよい。その他の実施形態では、光が通過する容器の所定領域がプローブも設けている容器部分に位置してよいが、プローブと重ならない。
【００１９】
ある実施形態では、センサーを作製するための方法が開示される。この方法は、プローブに結合できる表面積を増加するためのパターンを含む材料を提供する工程と、基板上にこの材料を配置する工程と、この関心ある標的と相互作用するように構成されるプローブをこの材料上に配置する工程とを含む。
【００２０】
ある実施形態ではこの材料はフィルムである。基板は、基板上にこの材料を配置する前に洗浄されてよい。ある実施形態では、基板上にこの材料を配置する前、この基板上に接着層をはじめに配置する。次に、この材料がこの接着層上に配置される。この接着層はクロムであってよい。
【００２１】
その他の実施形態では、この材料は表面パターンが不均一であるアニール処理されたフィルムである。この材料は、接着層上に配置された後で、約３００℃から約５００℃の温度でアニール処理されてよい。
【００２２】
その他のある実施形態では、この材料はロッドアレイパターンを含む。フォトレジスト（ｐｈｏｔｏｒｅｓｉｓｔ）が基板上にコーティングされ、ロッドアレイを作るためにフォトリソグラフィー工程を実施する。このロッドアレイ内の各ロッドのサイズ及び２つの隣接するロッド間の距離は、プローブの大きさ及び関心ある標的の大きさと関連がある。
【００２３】
ある実施形態では、本明細書で説明されるセンサーを用いて関心ある標的を検出する方法が開示される。このセンサーは、光源、容器、循環部材及び光検出装置を含む。この容器は、基板、この基板上に配置される材料及びこの関心ある標的と相互作用するように構成されるプローブを含む。これらのプローブは、この材料上に配置され、固定される。この光源は、容器中の所定領域を通過して最終的に光検出装置に到達する光を生成するように構成されている。この光が通過しようとするこの容器中のこの所定領域が、この容器におけるプローブと重ならない空間である。この方法は、この関心ある標的を含む可能性のある試料をこのセンサー中に設置する工程と、この容器中のこの所定領域を通過してこの光源から光を射出する工程と、このセンサーの光検出装置により受光された光に基づいて第１のシグナルを得る工程とを含む。
【００２４】
この方法は、所定の時間内にこの循環部材を駆動してこの容器中の物質をこれらのプローブへ推進する工程と、関心ある標的を含む可能性のある試料をセンサーに設置する工程と、この所定の時間の後に光検出装置により受光された光に基づいて第２のシグナルを得る工程とも更に含む。この方法は、この第１のシグナルとこの第２のシグナルを比較する工程と、その比較に基づいてこの試料中に標的が存在するかどうかを判定する工程とを更に含む。
【００２５】
図１は、関心ある標的を検出するためのセンサー１００ａの例示的な実施形態である。センサー１００ａは容器１０１を含む。容器１０１は、関心ある標的９０１を結合するための装置をつくり、基板１１０（例えば、１以上のこの容器の壁）上に配置される材料１１１、材料１１１上に配置される標的９０１と結合能があるプローブ１１３を含む。プローブ１１３は容器１０１の上部に配置される。光１１２は、センサー１００ａの光源から容器１０１の下部を通過してセンサー１００ａの受光器に射出される。光源は、容器１０１を通過した光がプローブ１１３又はプローブ１１３に結合する関心ある標的９０１に接触しないようにするために、この光源から射出された光の進路がプローブ１１３から離れるように構成されている。
【００２６】
センサー１００ａは、容器１０１中の物質を循環させるための循環部材２１０、２２０を更に含む。ある実施形態では、循環部材２１０、２２０は、自由に容器１０１中に配置される第１の磁石２２０と、容器１０１の壁付近で容器１０１の外に配置されるモータ２１０とを含んでよい。モータ２１０は第２の磁石（未図示）を含んでよく、モータ２１０が動作して第２の磁石を駆動して回転させる際に、モータ２１０中の第２の磁石が容器１０１中の第１の磁石２２０を同時に回転させることができる。若しくは、循環部材２１０、２２０は推進部材を含んでよく、この推進部材が容器１０１の内側の壁に取り付けられ、この推進部材を駆動するためのモータに電気接続される。
【００２７】
容器１０１はモータ２１０に対応する凹溝２３０を更に含んでよく、従って、センサーの大きさが小さくなる。循環部材２１０、２２０が容器１０１内に配置される第１の磁石２２０を含む場合に、第１の磁石２２０とモータ２１０との間の距離が最小化されたため、モータ２１０が第１の磁石２２０を駆動することに必要な動力は凹溝２３０によって最適化できる。
【００２８】
センサー１００ａは、容器１０１に、この標的を含まない溶液（例えば緩衝液）を更に含む。関心ある標的９０１を含む可能性のある試料９００を容器１０１に導入する。次に、光１１２は、第１の時間内に容器１０１を通過して、受光器により受光されるように構成される。第１の時間内に、試料９００中の物質は容器１０１における光１１２が通過しようとする下部に沈下する。受光器は、この第１の時間内にこの受光器により受光された光１１２の量に基づいて第１の電気シグナルを生成するように構成されるフォトダイオード検出装置を更に含む。受光器はこの第１の電気シグナルを処理するための処理装置を更に含む。
【００２９】
容器中の物質を循環させるために、所定の時間内に循環部材２１０、２２０を駆動させる。循環によって、容器１０１の下部における物質が容器１０１の上部に推進され、関心ある標的９０１が材料１１１上のプローブ１１３に結合できる。所定の期間を経た後、循環部材２１０、２２０が停止し、光１１２は第２の時間内に容器１０１を通過して、受光器により受光されるように構成されている。受光器のフォトダイオード検出装置はこの第２の時間内に受光器により受光された光の量に基づいて第２の電気シグナルを生成するように構成されている。受光器の処理装置は、更にこの第２の電気シグナルを処理するように構成されている。第２のシグナルの大きさが第１のシグナルの大きさと異なる場合、処理装置は、関心ある標的が試料中に存在すると判定する。一方、第２のシグナルの大きさが第１のシグナルの大きさと実質的に同一である場合、処理装置は、関心ある標的が試料中に存在しないと判定する。
【００３０】
図１Ｂは関心ある標的を検出するためのセンサー１００ｂの例示的な実施形態を示す。図１Ｂに示すセンサー１００ｂは図１Ａに示すセンサー１００ａと同等であり、材料１１１及びプローブ１１３が容器１０１の１以上の壁に配置されることで異なる。容器１０１中の別のプローブ１１３によって、循環部材２１０、２２０を駆動する時間量を短縮でき、それはいつでも関心ある標的９０１に結合できるためのプローブ１１３がより多く存在するからである。
【００３１】
図１Ｃは、関心ある標的を検出するためのセンサー１００ｃの例示的な実施形態である。図１Ｃに示すセンサー１００ｃは、図１Ｂに示すセンサー１００ｂと同等であり、光１１２が容器１０１においてプローブ１１３と同じ部分に位置する領域を通過するように構成されることで異なる。光１１２がプローブ１１３によって散乱したり標的９０１がプローブ１１３に結合したりすることを防止するために、光１１２がプローブ１１３と重ならないよに構成されている。
【００３２】
図２Ａは、関心ある標的を結合するための装置の例示的な実施形態を示す。装置２００ａは、基板２０１、この基板上に配置されるフィルム２０３及びフィルム２０３上に配置されるプローブ２０５を含む。フィルム２０３の厚さは、例えば約５ｎｍから約２００ｎｍで実質的に均一であってよい。プローブ２０５の第１の表面２０５１は材料２０３上に配置される。標的２０７に対する結合親和性があるプローブ２０５の第２の表面２０５３は、標的２０７が存在する場合に標的２０７との結合に利用できるように構成されている。
【００３３】
図２Ｂは、関心ある標的を結合するための装置の例示的な実施形態を示す。装置２００ｂは、基板２０１、基板２０１上に配置されるロッドアレイ２０３及びロッドアレイ２０３上に配置されるプローブ２０５を含む。ロッドアレイ２０３内のロッドの幅と長さ及び２つの隣接するロッド間の距離は、全てプローブ２０５の大きさ及び関心ある標的２０７と関連がある。例えば、ロッドアレイのロッドは、２００ｎｍから９００ｎｍの長さ、２００ｎｍから９００ｎｍの幅及び１５ｎｍから１５００ｎｍの高さを有してよい。ロッドアレイにおける各ロッド間の距離は２００ｎｍから９００ｎｍであってよい。ある実施形態では、ロッドアレイのロッドは約５００ｎｍの長さ、約５００ｎｍの幅及び約１００ｎｍの高さを有してよく、各ロッド間の距離は約５００ｎｍであってよい。プローブ２０５の第１の表面２０５１はロッドアレイ２０３上に配置される。標的２０７に対する結合親和性があるプローブ２０５の第２の表面２０５３は、標的２０７が存在する場合に標的２０７との結合に利用できるように構成されている。
【００３４】
図２Ｃは、関心ある標的を結合するための装置の例示的な実施形態を示す。装置２００ｃは、基板２０１、この基板上に配置されるフィルム２０３及びフィルム２０３上に配置されるプローブ２０５を含む。フィルム２０３の厚さは不均一である。ある実施形態では、まずこのフィルムが基板２０１上にコーティングされ、次いで厚さが不均一になるようにアニール処理されてよい。ある実施形態では、フィルム２０３の厚さは、約０．５ｎｍから約３０ｎｍで異なってよい。プローブ２０５の第１の表面２０５１は材料２０３上に配置される。標的２０７に対する結合親和性があるプローブ２０５の第２の表面２０５３は、標的２０７が存在する場合に標的２０７との結合に利用できるように構成されている。
【００３５】
図３は、装置３００の例示的な実施形態を示し、装置３００は、関心ある標的を検出するための装置２００を通過する光を提供し、検出することに用いられる。装置３００は、光源３１０及び受光ユニット３２０を含む。関心ある標的を検出するための装置２００は、光源３１０と受光ユニット３２０の間に配置される。
【００３６】
関心ある標的を検出するための装置２００は、基板２０１、この基板上に配置されるフィルム２０３及びフィルム２０３上に配置されるプローブ２０５を含んでよい。関心ある標的を検出するための装置２００中の基板２０１、フィルム２０３及びプローブ２０５の構成が図２Ａ、図２Ｂ及び図２Ｃに示され説明される装置２００中の構成と同じ又は類似であってよい。
【００３７】
光源３１０からの光２１０（図３に矢印で示す）が関心ある標的を検出するための装置２００を通過し、受光ユニット３２０により受光される。
【００３８】
ある実施形態では、光源３１０は、可視光又は紫外光を生成してよい。関心ある標的を検出するための装置２００に入る光２１０が特定波長をもつように、光源３１０と関心ある標的を検出するためのの装置２００の間に光学フィルターが設置されてよい。若しくは、受光ユニット３２０に入る光２１０が特定波長をもつように、関心ある標的を検出するための装置２００と受光ユニット３２０の間に光学フィルターが設置されてよい。若しくは、この装置を通過した可視光（又は紫外光）を、受光ユニット３２０に入る前に特定波長を持つ単色光に変換するために、ある光学素子（例えば、スリット、格子、ミラー及び直線状の電荷結合素子）が関心ある標的を検出するための装置２００と受光ユニット３２０の間に設置されてよい。光源３１０も単色光源であってよい。
【００３９】
図４Ａは、関心ある標的（例えば、生体分子）を検出するためのセンサーの例示的な実施形態を示す。受光ユニット３２０は光電気検出装置ユニットのみを含んでよい。光源３１０は可視光又は紫外光（図４Ａに矢印で示す）を射出してよく、可視光又は紫外光から特定波長の光を選択するために、光学フィルター３０８は光源３１０と関心ある標的を検出するための装置２００の間に設置されてよい。関心ある標的に基づいてこの光を選択してよい。例えば、関心ある標的がエンテロウイルス７１、インフルエンザＡ又はインフルエンザＢである場合に、光学フィルター３０８は、可視光から波長が５６０ｎｍの光を選択し、又は紫外光から波長が２８０ｎｍの光を選択するように配置されてよい。なお、関心ある標的がアデノウイルスである場合に、光学フィルター３０８は、可視光から波長が３４０ｎｍの光を選択し、又は紫外光から波長が２８０ｎｍの光を選択するように配置されてよい。
【００４０】
受光ユニット３２０は、光を受光するためのフォトダイオードチップ３０１と、選択した光が関心ある標的を検出するための装置２００を通過した後の強度を測定して受光ユニット３２０により受光された光の量に正比例する電気シグナルを生成するための光電気検出装置回路３０２とを含んでよい。
【００４１】
図４Ｂは、関心ある標的（例えば、生体分子）を検出するためのセンサーの例示的な実施形態を示す。図４Ｂに示すセンサーは、図４Ａに示すセンサーと同じ又は同等であり、光学フィルター３０８が、光源３１０と関心ある標的を検出するための装置２００の間ではなく、関心ある標的を検出するための装置２００とフォトダイオードチップ３０１の間に配置されることで異なる。従って、光が関心ある標的を検出するための装置２００を通過した後に標的に対して特定波長を有する光を選択する。
【００４２】
図４Ｃは、関心ある標的（例えば、生体分子）を検出するためのセンサーの例示的な実施形態を示す。図４Ｃに示すセンサーは、図４Ａに示すセンサーと同じ又は同等であり、光学フィルター３０８及びフォトダイオードチップ３０１が省略され、図４Ｃ中の受光ユニット３２０がスリット３０３、ミラー３０４、格子３０５及び直線状の電荷結合素子（ｃｈａｒｇｅ-ｃｏｕｐｌｅｄ  ｄｅｖｉｃｅ；ＣＣＤ）３０６を含むことで異なる。関心ある標的を検出するための装置２００を通過した可視光がスリット３０３に入る。格子３０５が異なる波長の光に分け、次に直線状のＣＣＤ  ３０６がこれらの異なる波長の光を受光し、光電気検出装置回路３０２が所望の波長を有する光の強度を測定するように構成される。
【００４３】
図４Ｄは、関心ある標的（例えば、生体分子）を検出するためのセンサーの例示的な実施形態を示す。図４Ｄに示す光源３１０が関心ある標的と関連ある特定波長を有する単色光を射出する他に、図４Ｄに示すセンサーは図４Ａに示すセンサーと同じである。従って、図４Ｄに示す実施例で光学フィルター３０８が省略されてよい。受光ユニット３２０は、フォトダイオードチップ３０１により受光されたシグナルを増幅するための増幅器３０７を更に含んでよい。
【００４４】
図５は、関心ある標的を結合するための装置を作製する方法５００の例示的な実施形態のフロー図を示す。方法５００は、ステップ５０１、５０３及び５０５を含む。ステップ５０１では材料が提供される。ステップ５０３では、この材料が基板上に配置される。この材料は、プローブを配置できる表面積を増加するためのパターンにおいて基板上に配置されてよい。このパターンは、例えば、フィルム、厚さが不均一なフィルム又は又はロッドアレイであってよい。ステップ５０５では、関心ある標的との結合能を有するプローブがこの材料上に配置される。このプローブは、センサーがそれを検出するよう構成される標的と相互作用するように構成される。ある実施形態では、プローブをこの材料上に配置する前に、この材料を洗浄し前処理してよい。例えば、この材料は、酸性液、塩基性液及び／又は精製水で洗浄されてよい。ある実施形態では、この材料は、１以上の化合物により前処理されてよい。１つの実施形態では、材料は、材料と適合性のある少なくとも１つの官能基を含む１以上の化合物を用いて前処理されてよい。別の実施形態では、材料は、プローブと適合性のある少なくとも１つの官能基を含む１以上の化合物を用いて前処理されてよい。この官能基は、材料表面周囲の遊離電子と第１の安定した結合を作り、プローブと第２の安定した結合を作るように構成される。官能基の例としては、チオール基及びヒドロキシル基があげられるがこれらに限定されない。
【実施例】
【００４５】
［実施例１］
［プローブの固定］
試料を入れるよう構成されるガラス容器をプラスチックホルダーに設置した。この容器の内面に、厚さが約０．５ｎｍから約３０ｎｍと異なる不均一なフィルムの形態の金が配置された。容器内にプローブを導入する前に、この金フィルムを０．１Ｍ塩酸溶液、精製水、０．１Ｍ水酸化ナトリウム溶液及び精製水の順序で洗浄した。
【００４６】
洗浄後、１１０μＬのシスタミン（リン酸緩衝生理食塩水（ｐｈｏｓｐｈａｔｅ  ｂｕｆｆｅｒｅｄ  ｓａｌｉｎｅ；ＰＢＳ）に２０ｍＭで溶解、ＰＨ７．２）を含む水溶液を容器に加え、室温で２０分間インキュベートして、シスタミンを容器壁上の金と結合させた。次に液体吸管によって残りのシスタミン溶液を容器から除去した。次に、１１０μＬのグルタルアルデヒド（ＰＢＳ溶液に２．５％で溶解、ＰＨ７．２）を含む水溶液を容器に加え、室温で２０分間インキュベートして、グルタルアルデヒドをシスタミンと結合させた。
【００４７】
残りのグルタルアルデヒド溶液を容器から除去した後、１１０μＬの市販の抗エンテロウイルス７１モノクローナル抗体の水溶液を容器に加え、室温で２０分間インキュベートして、抗エンテロウイルス７１モノクローナル抗体をグルタルアルデヒド架橋剤と結合させた。次に、液体吸管によって結合していない抗エンテロウイルス７１モノクローナル抗体を容器から除去した。次に、０．５Ｍグリシンの水溶液を容器に加え、残存している結合していないグルタルアルデヒドと反応させた。最後に、グリシンを容器から除去し、ＰＢＳを容器に加えた。
【００４８】
［試料の検出］
次にこのガラス容器及びこのプラスチックホルダーをｐ  Ｔｒｉｃｏｒｄｅｒ（登録商標）センサー（Ｖｓｅｎｓｅ  Ｍｅｄｔｅｃｈ．Ｃｏ．Ｌｔｄ．，台北、台湾）に設置した。センサーは、可視光源及びエンテロウイルス７１を検出するための光検出装置をさらに含む。可視光は、可視光源から射出され、光学フィルターを通過する。この光学フィルターは可視光をフィルタリングするよう構成され、波長が５６０ｎｍの光のみがこの光学フィルターを通過できる。次に、この光（すなわち、波長が５６０ｎｍの光）は上記ガラス容器を通過する。ガラス容器を通過後、この光は最終的に光検出装置により受光された。エンテロウイルス７１（存在する場合）をプローブへ推進するために、このセンサーは容器中の物質を循環させるための循環部材を更に含む。図６Ａは、感染患者から採取した１０％に希釈した試料中のエンテロウイルス７１の検出中のシグナル強度を示すグラフである。この試料は、感染患者からのｔｈｒｏａｔ  ｓｗａｂにより採取された。
【００４９】
センサーの光源から射出される光が容器の下部を通過するが、容器の内面上のプローブ上を通過しないようにセンサーの電源を入れた。この段階では、上記のように容器にはＰＢＳが入っていた。
【００５０】
試料を加えた後、データを収集して容器から検出された光に対応するシグナルを生成した。ＰＢＳ及び試料により検出されたシグナル（図６Ａ内の６０１に示す）を基準として用いた。続いて、容器中の試料を容器の内面上のプローブへ推進できるように、循環部材を３分間作動させた。データを５分間収集した。循環部材が停止した後に容器から検出された光を図６Ａ内の６０３に示す。６０１で検出された光シグナルと６０３で検出されたシグナルの差異は、この試料中にエンテロウイルス７１が存在することを示す。
【００５１】
［実施例２］
図６Ｂは、感染患者から採取した１０％に希釈した試料中のエンテロウイルス７１の検出中のシグナル強度を示すグラフである。この検出手法は、上記１０％エンテロウイルス７１希釈試料の検出手法と同一であった。
【００５２】
センサーの光源から射出される光が容器の下部を通過するが、容器の内面上のプローブ上を通過しないようにセンサーの電源を入れた。この段階では、上記のように容器にはＰＢＳが入っていた。
【００５３】
試料を加えた後、データを収集して容器から検出された光に対応するシグナルを生成した。ＰＢＳ及び試料により検出されたシグナル（図６Ｂ内の６０５に示す）を基準として用いた。続いて、容器中の試料を容器の内面上のプローブへ推進できるように循環部材を約３分間作動させた。データを５分間収集した。循環部材が停止した後に容器から検出された光を図６Ｂ内の６０７に示す。６０５で検出された光シグナルと６０７で検出されたシグナルの差異は、この試料中にエンテロウイルス７１が存在することを示す。
【００５４】
［比較例１］
図６Ｃは、健常者から採取した対照試料の検出中のシグナル強度を示すグラフである。この検出手法は、上記１０％エンテロウイルス７１希釈試料の検出手法と同一であった。
【００５５】
センサーの光源から射出される光が容器の下部を通過するが、容器の内面上のプローブ上を通過しないようにセンサーの電源を入れた。この段階では、容器にはＰＢＳが入っていた。
【００５６】
試料を加えた後、データを収集して容器から検出された光に対応するシグナルを生成した。ＰＢＳ及び試料により検出されたシグナル（図６Ｃ内の６１１に示す）を基準として用いた。続いて、容器中の試料を容器の内面上のプローブへ推進できるように循環部材を約３分間作動させた。データを５分間収集した。循環部材が停止した後に容器から検出された光を図６Ｃ内の６１３に示す。６１１と６１３の同等のシグナル強度は、対照試料中にエンテロウイルス７１が存在しないことを示す。
【００５７】
［実施例３］
［プローブの固定］
試料を入れるよう構成されるガラス容器をプラスチックホルダーに設置した。この容器の内面に、厚さが約１００ｎｍの実質的に均一であるフィルムの形態の金が配置された。容器内にプローブを導入する前に、この金フィルムを０．１Ｍ塩酸溶液、精製水、０．１Ｍ水酸化ナトリウム溶液及び精製水の順序で洗浄した。
【００５８】
洗浄後、１１０μＬのシスタミン（リン酸緩衝生理食塩水（ｐｈｏｓｐｈａｔｅ  ｂｕｆｆｅｒｅｄ  ｓａｌｉｎｅ；ＰＢＳ）に２０ｍＭで溶解、ＰＨ７．２）を含む水溶液を容器に加え、室温で２０分間インキュベートして、シスタミンを容器壁上の金と結合させた。次に液体吸管によって残りのシスタミン溶液を容器から除去した。次に、１１０μＬのグルタルアルデヒド（ＰＢＳ溶液に２．５％で溶解、ＰＨ７．２）を含む水溶液を容器に加え、室温で２０分間インキュベートして、グルタルアルデヒドをシスタミンと結合させた。
【００５９】
残りのグルタルアルデヒド溶液を容器から除去した後、１１０μＬの市販の抗インフルエンザＡ抗体（ＰＢＳ溶液に２０μｇ／ｍｌで溶解、ＰＨ７．２）の水溶液を容器に加え、室温で２０分間インキュベートして、抗インフルエンザＡ抗体をグルタルアルデヒド架橋剤と結合させた。次に、液体吸管によって結合していない抗インフルエンザＡ抗体を容器から除去した。次に、次に、０．５Ｍグリシンの水溶液を容器に加え、残存している結合していないグルタルアルデヒドと反応させた。最後に、グリシンを容器から除去し、ＰＢＳを容器に加えた。
【００６０】
［試料の検出］
次にこのガラス容器及びこのプラスチックホルダーをｐ  Ｔｒｉｃｏｒｄｅｒ（登録商標）センサー（Ｖｓｅｎｓｅ  Ｍｅｄｔｅｃｈ．Ｃｏ．Ｌｔｄ．，台北、台湾）に設置した。センサーは、可視光源及びインフルエンザＡを検出するための光検出装置をさらに含む。可視光は、可視光源から射出され、光学フィルターを通過する。この光学フィルターは可視光をフィルタリングするよう構成され、波長が５６０ｎｍの光のみがこの光学フィルターを通過できる。次に、この光（すなわち、波長が５６０ｎｍの光）は上記ガラス容器を通過する。ガラス容器を通過後、この光は最終的に光検出装置により受光された。インフルエンザＡ（存在する場合）をプローブへ推進するために、このセンサーは、容器中の物質を循環させるための循環部材を更に含む。図７Ａは、感染患者から採取した１０％に希釈した試料中のインフルエンザＡの検出中のシグナル強度を示すグラフである。この試料は、感染患者の咽喉からのｔｈｒｏａｔ  ｓｗａｂにより採取された。
【００６１】
センサーの光源から射出される光が容器の下部を通過するが、容器の内面上のプローブ上を通過しないようにセンサーの電源を入れた。この段階では、上記のように容器にはＰＢＳが入っていた。
【００６２】
試料を加えた後、データを収集して容器から検出された光に対応するシグナルを生成した。ＰＢＳ及び試料により検出されたシグナル（図７Ａ内の７０１に示す）を基準として用いた。続いて、容器中の試料を容器の内面上のプローブへ推進できるように循環部材を約３分間作動させた。データを５分間収集した。循環部材が停止した後に容器から検出された光を図７Ａ内の７０３に示す。７０１で検出された光シグナルと７０３で検出されたシグナルの差異は、この試料中にインフルエンザＡが存在することを示す。
【００６３】
［実施例４］
図７Ｂは、感染患者から採取した１０％に希釈した試料中のインフルエンザＡの検出中のシグナル強度を示すグラフである。この検出手法は、上記１０％インフルエンザＡ希釈試料の検出手法と同一であった。
【００６４】
センサーの光源から射出される光が容器の下部を通過するが、容器の内面上のプローブ上を通過しないようにセンサーの電源を入れた。この段階では、上記のように容器にはＰＢＳが入っていた。
【００６５】
試料を加えた後、データを収集して容器から検出された光に対応するシグナルを生成した。ＰＢＳ及び試料により検出されたシグナル（図７Ｂ内の７０５に示す）を基準として用いた。続いて、容器中の試料を容器の内面上のプローブへ推進できるように循環部材を約３分間作動させた。データを５分間収集した。循環部材が停止した後に容器から検出された光を図７Ｂ内の７０７に示す。７０５で検出された光シグナルと７０７で検出されたシグナルの差異は、この試料中にインフルエンザＡが存在することを示す。
【００６６】
［比較例２］
図７Ｃは、健常者から採取した対照試料の検出中のシグナル強度を示すグラフである。この検出手法は、上記インフルエンザＡ希釈試料の検出手法と同一であった。
【００６７】
センサーの光源から射出される光が容器の下部を通過するが、容器の内面上のプローブ上を通過しないようにセンサーの電源を入れた。この段階では、容器にはＰＢＳが入っていた。
【００６８】
試料を加えた後、データを収集して容器から検出された光に対応するシグナルを生成した。ＰＢＳ及び試料により検出されたシグナル（図７Ｃ内の７１１に示す）を基準として用いた。続いて、容器中の試料を容器の内面上のプローブへ推進できるように循環部材を約３分間作動させた。データを５分間収集した。容器から検出された光を図７Ｃ内の７１３に示す。７１１と７１３の同等のシグナル強度は、対照試料中にインフルエンザＡが存在しないことを示す。
【００６９】
［実施例５］
［プローブの固定］
試料を入れるよう構成されるガラス容器をプラスチックホルダーに設置した。この容器の内面に、ロッドアレイパターンを有するフィルムの形態の金が配置された。このロッドアレイのロッドは、約５００ｎｍの長さ、約５００ｎｍの幅及び約１００ｎｍの高さを有し、各ロッドが相互に約５００ｎｍ離れている。容器内にプローブを導入する前に、この金フィルムを０．１Ｍ塩酸溶液、精製水、０．１Ｍ水酸化ナトリウム溶液及び精製水の順序で洗浄した。
【００７０】
洗浄後、１１０μＬのシスタミン（リン酸緩衝生理食塩水（ｐｈｏｓｐｈａｔｅ  ｂｕｆｆｅｒｅｄ  ｓａｌｉｎｅ；ＰＢＳ）に２０ｍＭで溶解、ＰＨ７．２）を含む水溶液を容器に加え、室温で２０分間インキュベートして、シスタミンを容器壁上の金と結合させた。次に液体吸管によって残りのシスタミン溶液を容器から除去した。次に、１１０μＬのグルタルアルデヒド（ＰＢＳ溶液に２．５％で溶解、ＰＨ７．２）を含む水溶液を容器に加え、室温で２０分間インキュベートして、グルタルアルデヒドをシスタミンと結合させた。
【００７１】
残りのグルタルアルデヒド溶液を容器から除去した後、１１０μＬの市販の抗インフルエンザＢ抗体（ＰＢＳ溶液に２０μｇ／ｍｌで溶解、ＰＨ７．２）の水溶液を容器に加え、室温で２０分間インキュベートして、抗インフルエンザＢ抗体をグルタルアルデヒド架橋剤と結合させた。次に、液体吸管によって結合していない抗インフルエンザＢ抗体を容器から除去した。次に、０．５Ｍグリシンの水溶液を容器に加え、残存している結合していないグルタルアルデヒドと反応させた。最後に、グリシンを容器から除去し、ＰＢＳを容器に加えた。
【００７２】
［試料の検出］
次にこのガラス容器及びこのプラスチックホルダーをＰ  Ｔｒｉｃｏｒｄｅｒ（登録商標）センサー（Ｖｓｅｎｓｅ  Ｍｅｄｔｅｃｈ．Ｃｏ．Ｌｔｄ．，台北、台湾）に設置した。センサーは、可視光源及びインフルエンザＢを検出するための光検出装置をさらに含む。可視光は、可視光源から射出され、光学フィルターを通過する。この光学フィルターは可視光をフィルタリングするよう構成され、波長が５６０ｎｍの光のみがこの光学フィルターを通過できる。次に、この光（すなわち、波長が５６０ｎｍの光）は上記ガラス容器を通過する。ガラス容器を通過後、この光は最終的に光検出装置により受光された。インフルエンザＢ（存在する場合）をプローブへ推進するために、このセンサーは、容器中の物質を循環させるための循環部材を更に含む。図８Ａは、感染患者から採取した１０％に希釈した試料中のインフルエンザＢの検出中のシグナル強度を示すグラフである。この試料は、感染患者の咽喉からのｔｈｒｏａｔ  ｓｗａｂにより採取された。
【００７３】
センサーの光源から射出される光が容器の下部を通過するが、容器の内面上のプローブ上を通過しないようにセンサーの電源を入れた。この段階では、上記のように容器にはＰＢＳが入っていた。
【００７４】
試料を加えた後、データを収集して容器から検出された光に対応するシグナルを生成した。ＰＢＳ及び試料により検出されたシグナル（図８Ａ内の８０１に示す）を基準として用いた。続いて、容器中の試料を容器の内面上のプローブへ推進できるように循環部材を約３分間作動させた。データを５分間収集した。循環部材が停止した後に容器から検出された光を図８Ａ内の８０３に示す。８０１で検出された光シグナルと８０３で検出されたシグナルの差異は、この試料中にインフルエンザＢが存在することを示す。
【００７５】
［実施例６］
図８Ｂは、感染患者から採取した１０％に希釈した試料中のインフルエンザＢの検出中のシグナル強度を示すグラフである。この検出手法は、上記１０％インフルエンザＢ希釈試料の検出手法と同一であった。
【００７６】
センサーの光源から射出される光が容器の下部を通過するが、容器の内面上のプローブ上を通過しないようにセンサーの電源を入れた。この段階では、上記のように容器にはＰＢＳが入っていた。
【００７７】
試料を加えた後、データを収集して容器から検出された光に対応するシグナルを生成した。ＰＢＳ及び試料により検出されたシグナル（図８Ｂ内の８０５に示す）を基準として用いた。続いて、容器中の試料を容器の内面上のプローブへ推進できるように循環部材を約３分間作動させた。データを５分間収集した。循環部材が停止した後に容器から検出された光を図８Ｂ内の８０７に示す。８０５で検出された光シグナルと８０７で検出されたシグナルの差異は、この試料中にインフルエンザＢが存在することを示す。
【００７８】
［比較例３］
図８Ｃは、健常者から採取した対照試料の検出中のシグナル強度を示すグラフである。この検出手法は、上記インフルエンザＢ希釈試料の検出手法と同一であった。
【００７９】
センサーの光源から射出される光が容器の下部を通過するが、容器の内面上のプローブ上を通過しないようにセンサーの電源を入れた。この段階では、容器にはＰＢＳが入っていた。ＰＢＳにより検出されたシグナル（図８Ｃ内の８１１に示す）を基準として用いた。
【００８０】
試料を加えた後、容器中の試料を容器の内面上のプローブへ推進できるように循環部材を約３分間作動させた。データを数分間収集した。循環部材が停止した後に容器から検出された光を図８Ｃ内の８１３に示す。８１１と８１３の同等のシグナル強度は、対照試料中にインフルエンザＢが存在しないことを示す。
【００８１】
上記の発明を、理解を明確にすることを目的として説明と実施例を用いてある程度で詳細に説明したが、本発明の精神と範囲から逸脱せずに特定の変更及び修正が実施されうることは当業者には明らかであろう。従って、本明細書の説明は本発明の範囲を限定するものと解釈するべきではない。
【００８２】
本明細書で引用した全ての発表、特許、及び特許出願は、参照することにより具体的に及び個別に個々の発表、特許又は特許出願を組み込む場合と同程度に、参照することによりその全体を本明細書に組み込むものとする。
【符号の説明】
【００８３】
１００ａ  センサー
１００ｂ  センサー
１００ｃ  センサー
１０１  容器
１１０  基板
１１１  材料
１１２  光
１１３  プローブ
２００ａ  装置
２００ｂ  装置
２００ｃ  装置
２０１  基板
２０３  フィルム／材料／ロッドアレイ
２０５  プローブ
２０５１  第１の表面
２０５３  第２の表面
２０７  標的／関心ある標的
２１０  光
２１０  循環部材／モータ
２２０  循環部材／第１の磁石
２３０  凹溝
３００  装置
３０１  フォトダイオードチップ
３０２  光電気検出装置回路
３０３  スリット
３０４  ミラー
３０５  格子
３０６  直線状の電荷結合素子
３０７  増幅器
３０８  光学フィルター
３１０  光源
３２０  受光ユニット
９００  試料
９０１  関心ある標的
【図４Ａ】
0005742040.tif 000002
【図４Ｂ】
0005742040.tif 000003
【図４Ｃ】
0005742040.tif 000004
【図４Ｄ】
0005742040.tif 000005
【図５】
0005742040.tif 000006
【図１Ａ】
0005742040.tif 000007
【図１Ｂ】
0005742040.tif 000008
【図１Ｃ】
0005742040.tif 000009
【図２Ａ】
0005742040.tif 000010
【図２Ｂ】
0005742040.tif 000011
【図２Ｃ】
0005742040.tif 000012
【図３】
0005742040.tif 000013
【図６Ａ】
0005742040.tif 000014
【図６Ｂ】
0005742040.tif 000015
【図６Ｃ】
0005742040.tif 000016
【図７Ａ】
0005742040.tif 000017
【図７Ｂ】
0005742040.tif 000018
【図７Ｃ】
0005742040.tif 000019
【図８Ａ】
0005742040.tif 000020
【図８Ｂ】
0005742040.tif 000021
【図８Ｃ】
0005742040.tif 000022